(57)【要約】【課題】撮影装置において、所望とする画像を容易に取得できるようにする。【解決手段】２つの撮影方式により撮影を行うことにより２つの画像を取得する。中間画像作成部８６が２つの画像の中間画像を作成する。そして、中間画像を、操作系１０からの指示により調整可能に液晶モニタ１８に表示し、所望とされる中間画像の選択指示を受け付け、選択指示が受け付けられた中間画像を記録メディア７０に記録する。【選択図】図１
2008141743.tif 000002
【特許請求の範囲】
【請求項１】
撮影により画像を取得する撮影手段と、
前記画像を含む各種表示を行う表示手段と、
各種入力を行う入力手段と、
２つの撮影方式により撮影を行うことにより２枚の画像を取得するよう前記撮影手段を制御する撮影制御手段と、
前記２つの画像の中間画像を作成する中間画像作成手段と、
前記中間画像を、前記入力手段からの指示により調整可能に前記表示手段に表示し、所望とされる中間画像の選択指示を受け付け、該選択指示が受け付けられた中間画像を記録媒体に記録する記録制御手段とを備えたことを特徴とする撮影装置。
【請求項２】
前記２つの撮影方式は、露出、合焦位置、フラッシュ発光、階調、色補正およびホワイトバランスの少なくとも１つを異ならせることによる撮影方式であることを特徴とする請求項１記載の撮影装置。
【請求項３】
前記記録制御手段は、前記中間画像に含まれる主要被写体の領域を拡大して前記表示手段に表示する手段であることを特徴とする請求項１または２記載の撮影装置。
【請求項４】
撮影により画像を取得する撮影手段と、前記画像を含む各種表示を行う表示手段と、各種入力を行う入力手段とを備えた撮影装置における撮影方法において、
２つの撮影方式により撮影を行うことにより２枚の画像を取得し、
前記２つの画像の中間画像を作成し、
前記中間画像を、前記入力手段からの指示により調整可能に前記表示手段に表示し、
所望とされる中間画像の選択指示を受け付け、
該選択指示が受け付けられた中間画像を記録媒体に記録することを特徴とする撮影方法。
【請求項５】
撮影により画像を取得する撮影手段と、前記画像を含む各種表示を行う表示手段と、各種入力を行う入力手段とを備えた撮影装置における撮影方法をコンピュータに実行させるためのプログラムにおいて、
２つの撮影方式により撮影を行うことにより２枚の画像を取得する手順と、
前記２つの画像の中間画像を作成する手順と、
前記中間画像を、前記入力手段からの指示により調整可能に前記表示手段に表示する手順と、
所望とされる中間画像の選択指示を受け付ける手順と、
該選択指示が受け付けられた中間画像を記録媒体に記録する手順とを有することを特徴とするプログラム。
【発明の詳細な説明】
【技術分野】
【０００１】
本発明は撮影により画像を取得する撮影装置および方法並びに撮影方法をコンピュータに実行させるためのプログラムに関するものである。
【背景技術】
【０００２】
デジタルカメラにより撮影を行う場合、露出、合焦位置、およびフラッシュ発光の有無等の撮影条件、並びに階調補正、色補正およびホワイトバランス等の画像処理条件を設定して画像を取得しており、これにより高画質の画像を得ることができる。また、画像の全体ではなく人物の顔等の主要被写体が好ましい画質となるように撮影条件および画像処理条件を決定して画像を取得することも行われている。
【０００３】
ところで、上述した撮影条件および画像処理条件は、プレ撮影または本撮影により得られるプレ画像または本画像を解析することにより決定されるが、解析に失敗することにより適切な撮影条件および画像処理条件を設定することができない場合がある。例えば、露出および合焦位置の解析に失敗すると、適切に撮影条件を設定できないため、画像が白飛びしたりピンぼけとなってしまう。また、ホワイトバランスの補正度合の解析に失敗すると、例えばタングステンを光源としているのに、画像がデイライトのシーンのような雰囲気となってしまう場合がある。このような場合、所望とする画質を有する画像を取得することができない。
【０００４】
ここで、プリント時ではあるが、フラッシュを使用して撮影を行う際に発生する赤目を補正した画像を作成し、補正後の画像と補正前の画像とを表示して、撮影者に選択させる手法が提案されている（特許文献１参照）。また、撮影により取得した画像に含まれる主要被写体を拡大してデジタルカメラのモニタに表示することにより、画像の確認を行いやすくする手法も提案されている（特許文献２参照）。これらの手法によれば、表示された画像を確認することができるため、撮影者は納得がいくまで撮影を行うことにより、所望とする画像を取得することができる。
【特許文献１】特開２００４−１１２３９０号公報
【特許文献２】特開２００５−３１８５１５号公報
【発明の開示】
【発明が解決しようとする課題】
【０００５】
しかしながら、上記特許文献１，２に記載された手法のように画像を確認するようにしても、撮影者が所望とする画像が撮影により取得されていないと、撮影者は撮影をやり直す必要があるため、その作業が非常に煩わしいものとなる。
【０００６】
本発明は上記事情に鑑みなされたものであり、所望とする画像を容易に取得できるようにすることを目的とする。
【課題を解決するための手段】
【０００７】
本発明による撮影装置は、撮影により画像を取得する撮影手段と、
前記画像を含む各種表示を行う表示手段と、
各種入力を行う入力手段と、
２つの撮影方式により撮影を行うことにより２枚の画像を取得するよう前記撮影手段を制御する撮影制御手段と、
前記２つの画像の中間画像を作成する中間画像作成手段と、
前記中間画像を、前記入力手段からの指示により調整可能に前記表示手段に表示し、所望とされる中間画像の選択指示を受け付け、該選択指示が受け付けられた中間画像を記録媒体に記録する記録制御手段とを備えたことを特徴とするものである。
【０００８】
「中間画像」とは、画像の内容が２つの画像の中間となる画像であり、例えば、２つの画像の中間の画質を有する画像、顔の表情が２つの画像に含まれる顔の中間の表情を有する画像とすることができる。
【０００９】
なお、本発明による撮影装置においては、前記２つの撮影方式は、露出、合焦位置、フラッシュ発光、階調、色補正およびホワイトバランスの少なくとも１つを異ならせることによる撮影方式としてもよい。なお、撮影方式としては、この他に顔の表情が異なるようにする撮影も含む。
【００１０】
また、本発明による撮影装置においては、前記記録制御手段を、前記中間画像に含まれる主要被写体の領域を拡大して前記表示手段に表示する手段としてもよい。
【００１１】
本発明による撮影方法は、撮影により画像を取得する撮影手段と、前記画像を含む各種表示を行う表示手段と、各種入力を行う入力手段とを備えた撮影装置における撮影方法において、
２つの撮影方式により撮影を行うことにより２枚の画像を取得し、
前記２つの画像の中間画像を作成し、
前記中間画像を、前記入力手段からの指示により調整可能に前記表示手段に表示し、
所望とされる中間画像の選択指示を受け付け、
該選択指示が受け付けられた中間画像を記録媒体に記録することを特徴とするものである。
【００１２】
なお、本発明による撮影方法をコンピュータに実行させるためのプログラムとして提供してもよい。
【発明の効果】
【００１３】
本発明によれば、２つの撮影方式により撮影が行われて２つの画像が取得され、２つの画像の中間画像が作成される。そして、中間画像が表示手段に調整可能に表示され、所望とされる中間画像の選択指示が受け付けられて、選択指示が受け付けられた中間画像が記録媒体に記録される。このため、撮影者は自身が好ましいと思う中間画像を作成して記録媒体に記録することができ、これにより撮影をやり直すことなく、所望とされる画像を取得することができる。
【００１４】
また、中間画像に含まれる主要被写体の領域を拡大して表示することにより、画像に含まれる主要被写体の確認を行うことが容易となる。
【発明を実施するための最良の形態】
【００１５】
以下、図面を参照して本発明の実施形態について説明する。図１は本発明の実施形態による撮影装置を適用したデジタルカメラの構成を示す概略ブロック図である。図１に示すデジタルカメラ１は、撮影により取得した画像データを、Ｅｘｉｆ形式の画像ファイルに変換して、本体に着脱可能な記録メディア７０へ記録するものである。
【００１６】
このデジタルカメラは、動作モードスイッチ、メニュー／ＯＫボタン、ズームレバー、上下左右ボタン、レリーズボタン、電源スイッチ等の操作系１０と、これらのスイッチ類の操作内容をＣＰＵ７５に伝えるためのインターフェース部分である操作系制御部７４とを有している。
【００１７】
なお、本実施形態においては動作モードしては、撮影モードおよび再生モードの他、２つの撮影方式を設定して２つの画像を取得する複数画像撮影モードを設定することが可能である。
【００１８】
光学系としては、フォーカスレンズ２０ａおよびズームレンズ２０ｂを有している。各々のレンズは、モータとモータドライバとからなるフォーカスレンズ駆動部５１およびズームレンズ駆動部５２によって光軸方向に移動可能である。フォーカスレンズ駆動部５１はＡＦ処理部６２から出力されるフォーカス駆動量データに基づいて、ズームレンズ駆動部５２はズームレバーの操作量データに基づいて、各々のレンズの移動を制御する。
【００１９】
また、絞り５４は、モータとモータドライバとからなる絞り駆動部５５によって駆動される。この絞り駆動部５５は、ＡＥ処理部６３から出力される絞り値データに基づいて絞り径の調整を行う。
【００２０】
シャッタ５６は、メカニカルシャッタであり、モータとモータドライバとからなるシャッタ駆動部５７によって駆動される。シャッタ駆動部５７は、レリーズボタンの押下により発生する信号と、ＡＥ処理部６３から出力されるシャッタスピードデータとに応じて、シャッタ５６の開閉の制御を行う。
【００２１】
光学系の後方には、撮像素子であるＣＣＤ５８を有している。ＣＣＤ５８は、多数の受光素子を２次元的に配列した光電面を有しており、光学系を通過した被写体光がこの光電面に結像し、光電変換される。光電面の前方には、各画素に光を集光するためのマイクロレンズアレイと、Ｒ，Ｇ，Ｂ各色のフィルタが規則的に配列されたカラーフィルタアレイとが配置されている。ＣＣＤ５８は、ＣＣＤ制御部５９から供給される垂直転送クロックおよび水平転送クロックに同期して、画素毎に蓄積された電荷を１ラインずつシリアルなアナログ撮影信号として出力する。各画素において電荷を蓄積する時間、すなわち、露出時間は、ＣＣＤ制御部５９から与えられる電子シャッタ駆動信号によって決定される。また、ＣＣＤ５８はＣＣＤ制御部５９により、あらかじめ定められた大きさのアナログ撮像信号が得られるように、ゲインが調整されている。
【００２２】
ＣＣＤ５８から取り込まれたアナログ撮影信号は、アナログ信号処理部６０に入力される。アナログ信号処理部６０は、アナログ信号のノイズを除去する相関２重サンプリング回路（ＣＤＳ）と、アナログ信号のゲインを調節するオートゲインコントローラ（ＡＧＣ）と、アナログ信号をデジタル信号に変換するＡ／Ｄコンバータ（ＡＤＣ）とからなる。このデジタル信号に変換された画像データは、画素毎にＲ，Ｇ，Ｂの濃度値を持つＣＣＤ−ＲＡＷデータである。
【００２３】
タイミングジェネレータ７２は、タイミング信号を発生させるものであり、このタイミング信号をシャッタ駆動部５７、ＣＣＤ制御部５９、アナログ信号処理部６０に供給することにより、レリーズボタンの操作、シャッタ５６の開閉、ＣＣＤ５８の電荷の取込み、およびアナログ信号処理部６０の処理の同期をとっている。
【００２４】
フラッシュ制御部７３は、撮影時にフラッシュ２４を発光させる。具体的には、フラッシュ発光モードがフラッシュオンとされている場合、およびフラッシュ発光モードがオートモードである場合において後述するプレ画像が所定の明るさにない場合にフラッシュ２４をオンとして、撮影時にフラッシュ２４を発光させる。一方、フラッシュ発光モードがフラッシュオフとされている場合、撮影時にフラッシュ２４の発光を禁止する。
【００２５】
画像入力コントローラ６１は、アナログ信号処理部６０から入力されたＣＣＤ−ＲＡＷデータをフレームメモリ６６に書き込む。
【００２６】
フレームメモリ６６は、画像データに対して後述の各種デジタル画像処理（信号処理）を行う際に使用する作業用メモリであり、例えば、一定周期のバスクロック信号に同期してデータ転送を行うＳＤＲＡＭ(Synchronous Dynamic Random Access Memory)が使用される。
【００２７】
表示制御部７１は、フレームメモリ６６に格納された画像データをスルー画像として液晶モニタ１８に表示させたり、再生モード時に記録メディア７０に保存されている画像データを液晶モニタ１８に表示させたりするためのものである。なお、スルー画像は、撮影モードが選択されている間、所定時間間隔でＣＣＤ５８により撮影される。
【００２８】
ＡＦ処理部６２およびＡＥ処理部６３は、プレ画像に基づいて撮影条件を決定する。このプレ画像とは、レリーズボタンが半押しされることによって発生する半押し信号を検出したＣＰＵ７５がＣＣＤ５８にプレ撮影を実行させた結果、フレームメモリ６６に格納された画像データにより表される画像である。
【００２９】
ＡＦ処理部６２は、プレ画像に基づいて焦点位置を検出し、フォーカス駆動量データを出力する（ＡＦ処理）。焦点位置の検出方式としては、例えば、所望とする被写体にピントが合った状態では画像のコントラストが高くなるという特徴を利用して合焦位置を検出するパッシブ方式が考えられる。
【００３０】
ＡＥ処理部６３は、プレ画像に基づいて被写体輝度を測定し、測定した被写体輝度に基づいて絞り値およびシャッタスピード等を決定し、絞り値データおよびシャッタスピードデータを露出設定値として決定する（ＡＥ処理）。
【００３１】
ＡＷＢ処理部６３′は、撮影時のホワイトバランスを自動調整する（ＡＷＢ処理）。なお、ＡＷＢ処理部６３′は、撮影前でも、本撮影後でもホワイトバランスの調整を行うことができる。
【００３２】
なお、露出およびホワイトバランスについては、撮影モードがマニュアルモードに設定されている場合には、デジタルカメラ１の撮影者がマニュアル操作により設定可能である。また、露出およびホワイトバランスが自動で設定された場合にも、撮影者が操作系１０から指示を行うことにより、露出およびホワイトバランスをマニュアル調整することが可能である。
【００３３】
画像処理部６４は、本画像の画像データに対して、階調補正、シャープネス補正、色補正等の画質補正処理、ＣＣＤ−ＲＡＷデータを輝度信号であるＹデータと、青色色差信号であるＣｂデータおよび赤色色差信号であるＣｒデータとからなるＹＣデータに変換するＹＣ処理を行う。この本画像とは、レリーズボタンが全押しされることによって実行される本撮影によりＣＣＤ５８から取り込まれ、アナログ信号処理部６０、画像入力コントローラ６１経由でフレームメモリ６６に格納された画像データによる画像である。本画像の画素数の上限は、ＣＣＤ５８の画素数によって決定されるが、例えば、ファイン、ノーマル等の設定により、記録画素数を変更することができる。一方、スルー画像およびプレ画像の画像数は、本画像よりも少なく、例えば、本画像の１／１６程度の画素数で取り込まれる。
【００３４】
圧縮／伸長処理部６５は、画像処理部６４によって補正・変換処理が行われた本画像の画像データに対して、例えば、ＪＰＥＧ等の圧縮形式で圧縮処理を行い、画像ファイルを生成する。この画像ファイルには、Ｅｘｉｆフォーマット等に基づいて、撮影日時等の付帯情報が格納されたタグが付加される。また、圧縮／伸長処理部６５は、再生モードの場合には、記録メディア７０から圧縮された画像ファイルを読み出し、伸長処理を行う。伸長後の画像データは液晶モニタ１８に出力される。
【００３５】
メディア制御部６７は、記録メディア７０にアクセスして画像ファイルの書き込みと読み込みの制御を行う。
【００３６】
内部メモリ６８は、デジタルカメラ１において設定される各種定数、およびＣＰＵ７５が実行するプログラム等を格納する。
【００３７】
ＣＰＵ７５は、操作系１０およびＡＦ処理部６２等の各種処理部からの信号に応じてデジタルカメラ１の本体各部を制御する。また、ＣＰＵ７５は、複数画像撮影モードの設定がなされた場合に、１回のレリーズボタンの押下により２つの撮影方式により撮影を行うことにより２つの画像を取得するよう、デジタルカメラ１を構成する各種処理部を制御する。すなわち、露出、合焦位置、フラッシュ発光、階調およびホワイトバランスの少なくとも１つを２段階に設定することにより２つの画像を取得するように各種処理部を制御する。
【００３８】
具体的には、露出については、決定した露出設定値および決定した露出設定値を中心とする前または後の２段階の露出設定値、もしくは決定した露出設定値を中心とした前および後の２段階の露出設定値を設定するようＡＥ処理部６３を制御する。また、合焦位置については決定した焦点位置および決定した焦点位置を中心とする前または後の２段階の位置、もしくは決定した焦点位置を中心とする前および後の２段階の合焦を合焦位置とするようＡＦ処理部６２を制御する。また、フラッシュ発光については、フラッシュを発光／非発光の２段階に設定を行うようフラッシュ制御部７３を制御する。階調および色補正については２段階の階調補正および色補正を行うように画像処理部６４を制御する。ホワイトバランスについては、２段階のホワイトバランス調整を行うようＡＷＢ処理部６３′を制御する。
【００３９】
中間画像作成部８６は、取得された２つの画像の中間の画質を有する中間画像を作成する。ここで、中間画像は２つの画像の中間の画質を有するものである。例えば、撮影方式として露出を異なるものとした場合、およびフラッシュ発光／非発光とした場合には、２つの画像は明るさが異なるため２つの画像の中間の明るさを有する中間画像を作成する。また階調が異なる場合には２つの画像の中間の階調を有する中間画像を作成する。また、ホワイトバランスが異なる場合には２つの画像の中間のホワイトバランスを有する中間画像を作成する。
【００４０】
そして、ＣＰＵ７５は取得した２つの画像および中間画像を、中間画像については操作系１０からの指示により画質を変更可能に液晶モニタ１８に表示する。
【００４１】
データバス７６は、画像入力コントローラ６１、各種処理部６２〜６５、フレームメモリ６６、メディア制御部６７、内部メモリ６８、表示制御部７１、中間画像作成部８６、およびＣＰＵ７５に接続されており、デジタル画像データ等のやり取りを行う。
【００４２】
次いで、本実施形態において行われる処理について説明する。図２は本実施形態において行われる処理を示すフローチャートである。なお、ここでは複数画像撮影モードに設定がなされているものとする。撮影者がレリーズボタンを全押しすることによりＣＰＵ７５が処理を開始し、２通りの撮影方式により２回の本撮影を行って２つの画像を取得する（ステップＳＴ１）。
【００４３】
次いで、中間画像作成部８６が２つの画像の中間の画質を有する中間画像を作成し（ステップＳＴ２）、ＣＰＵ７５が撮影者に画像を選択させるための選択画面を液晶モニタ１８に表示する（ステップＳＴ３）。
【００４４】
図３は本実施形態における選択画面を示す図である。図３に示すように選択画面３２には画像を表示するための表示エリア３２Ａが表示されている。表示エリア３２Ａには、画像に含まれる顔領域が拡大された２つの画像Ｓ１，Ｓ２および中間画像Ｓｍが表示されている。撮影者は操作系１０を操作することにより中間画像Ｓｍの画質を２つの画像Ｓ１，Ｓ２の間において変更することができる。例えば２つの画像の明るさが異なる場合には明るさを、ホワイトバランスが異なる場合にはホワイトバランスを、階調が異なる場合には階調を変更することにより中間画像Ｓｍの画質を変更することができる。なお、ここでは画像に含まれる顔領域を拡大しているが、顔領域を拡大することなく画像の全体を表示してもよい。
【００４５】
なお、図３においては「調整」の文字の左右の三角形のマークが上下左右ボタンを左右に押下することにより中間画像Ｓｍの画質を調整できることを、「ＯＫ：決定」がＯＫボタンを押下することにより画像の選択を確定できることを示している。
【００４６】
撮影者は操作系１０を操作することにより、中間画像Ｓｍの画質を変更して表示エリア３２Ａに表示することができる。そして、所望とする画質を有する中間画像Ｓｍを表示したときに操作系１０を操作して選択を確定させることにより、撮影者が所望とする画質を有する中間画像Ｓｍの選択を確定することができる。
【００４７】
ＣＰＵ７５は撮影者による画像の選択が確定されたか否かの監視を開始し（ステップＳＴ４）、ステップＳＴ４が肯定されると撮影者が選択した中間画像Ｓｍを記録メディア７０に記録し（ステップＳＴ５）、処理を終了する。
【００４８】
このように本実施形態においては、２つの画像Ｓ１，Ｓ２の中間画質を有する中間画像Ｓｍを、画質を変更可能に表示するようにしたため、撮影者は自身が好ましいと思う画質を有する中間画像Ｓｍを作成して記録メディア７０に記録することができ、これにより撮影をやり直すことなく、所望とされる画質を有する画像を取得することができる。
【００４９】
なお、上記実施形態においては、中間画像を作成して記録メディア７０に記録しているが、画質の調整の状態によっては、中間画像の画質が２つの画像のいずれかの画質と同一となることがあるものである。
【００５０】
また、上記実施形態においては、撮影方式として露出、合焦位置、フラッシュ発光、階調、色補正およびホワイトバランスの少なくとも１つを複数設定しているが、測光方式を複数設定してもよい。例えば、平均測光方式および顔領域重点測光方式の２つの測光方式により２つの画像を取得するようにしてもよい。
【００５１】
また、撮影方式としてズーム倍率を変更してもよい。この場合、図４に示すように例えば倍率が異なる２つの画像が撮影により取得され、中間画像は２つの画像の中間の倍率を有するものとなる。
【００５２】
また、撮影方式として、例えば顔の表情が異なるようにして２回の撮影を行うものであってもよい。この場合において、例えば無表情の顔と笑顔の顔とを撮影した場合、図５に示すように、無表情と笑顔の中間の表情の顔を含む中間画像Ｓｍを作成することとなる。これにより、撮影者は自身が好ましいと思う表情を有する中間画像を作成して記録メディア７０に記録することができる。
【００５３】
また、上記実施形態においては、２つの画像Ｓ１，Ｓ２を液晶モニタ１８に表示しているが、中間画像Ｓｍのみを表示するようにしてもよい。
【００５４】
以上、本発明の実施形態に係るデジタルカメラについて説明したが、コンピュータを、上記の中間画像作成部８６に対応する手段として機能させ、図２に示すような処理を行わせるプログラムも本発明の実施形態の１つである。また、そのようなプログラムを記録したコンピュータ読取り可能な記録媒体も、本発明の実施形態の１つである。
【図面の簡単な説明】
【００５５】
【図１】本発明の実施形態による撮影装置を適用したデジタルカメラの構成を示す概略ブロック図
【図２】本実施形態において行われる処理を示すフローチャート
【図３】本実施形態における選択画面を示す図
【図４】ズーム倍率が異なる２つの画像を示す図
【図５】顔の表情が異なる２つの画像からの中間画像の作成を説明するための図
【符号の説明】
【００５６】
１  デジタルカメラ
１８    液晶モニタ
２４    フラッシュ
６２    ＡＦ処理部
６３    ＡＥ処理部
６３′  ＡＷＢ処理部
６４    画像処理部
７１    表示制御部
７３    フラッシュ制御部
７５    ＣＰＵ
８６    中間画像作成部
【図１】
2008141743.tif 000003
【図２】
2008141743.tif 000004
【図３】
2008141743.tif 000005
【図４】
2008141743.tif 000006
【図５】
2008141743.tif 000007